(57)【要約】【課題】フルカラーもしくはマルチカラー表示を行うため、メモリ性液晶を有する複数の液晶パネルを積層してなる液晶表示装置において、信号電極駆動用ＬＳＩチップの使用個数を減らして、コストダウンを図る。【解決手段】例えば２枚の液晶パネル１０，２０の信号電極側基板１２，２２の信号電極１２ａ〜１２ｍ，２２ａ〜２２ｍ同士をフレキシブル配線板３１を介して接続するとともに、一方の端部側の特定液晶パネル１０の信号電極側基板２２に、信号電極駆動用のＬＳＩチップ４１ａを有するＴＣＰ４１を接続して、液晶パネル１０に接続されたＬＳＩチップ４１ａにて他方の液晶パネル２０側の信号電極をも駆動可能とし、フレキシブル配線板３１をほぼ１８０゜折り曲げて、液晶パネル１０と液晶パネル２０とを積層する。【選択図】    図１
2004233822.tif 000002
【特許請求の範囲】
【請求項１】
走査電極側基板と信号電極側基板との間にメモリ性液晶を有する液晶パネルを複数枚積層してなる液晶表示装置において、
上記複数枚の液晶パネルのうち、最外側に配置される少なくとも一方の特定端部側液晶パネルを含めて上記液晶パネルの信号電極側基板は、その対向する２辺に端子部を備えており、上記各液晶パネルの信号電極側基板に形成されている信号電極同士を第１フレキシブル配線板を介して接続するとともに、上記特定端部側液晶パネルの信号電極側基板の片側端子部に、信号電極駆動用のＬＳＩチップが搭載された第２フレキシブル配線板を接続し、上記第１フレキシブル配線板を折り曲げて上記各液晶パネルを積層してなることを特徴とする液晶表示装置。
【発明の詳細な説明】
【０００１】
【発明の属する技術分野】
本発明は、メモリ性液晶を有する複数枚の液晶パネルを積層してなる液晶表示装置に関し、さらに詳しく言えば、その各液晶パネル間の接続技術に関するものである。
【０００２】
【従来の技術】
カイラルネマチック液晶もしくはコレステリック液晶に代表されるメモリ性液晶は、電圧非印加時に少なくともプレナー状態とフォーカルコニック状態の安定した異なる光学状態を呈する。
【０００３】
プレナー状態においては、液晶分子が螺旋構造をもち、入射した光を右旋光と左旋光とに分け、螺旋のねじれ方向に一致する円偏光成分を反射させ、残りの光を透過させる選択反射光が得られる。光が螺旋軸に対して平行に入射した場合、選択反射波長はコレステリック相の平均屈折率と螺旋ピッチとの積で表される。
【０００４】
このカイラルネマチック液晶を有する液晶表示素子によれば、液晶のピッチを変化させてＲ（赤），Ｇ（緑），Ｂ（青）各色の選択反射をもつ３枚の液晶パネルを作製し、これらを積層することによりフルカラー表示が得られる。また、フルカラー表示ではないが、２枚の液晶パネルを積層することにより、マルチカラー表示も可能である。
【０００５】
図３に、例えばマルチカラー表示を得るために積層される２枚の液晶パネル１を分離した状態での斜視図を示す。各液晶パネル１は、走査電極側基板２と信号電極側基板３とを備え、図示されていないが、これら各基板２，３間にカイラルネマチック液晶が挟持されている。
【０００６】
各液晶パネル１において、走査電極側基板２の端子部２ａには、走査電極駆動用のＬＳＩ（大規模集積回路）チップ４ａが搭載されたフレキシブル配線板４が接続されており、また、信号電極側基板３の端子部３ａには、信号電極駆動用のＬＳＩチップ５ａが搭載されたフレキシブル配線板５が接続されている。なお、フレキシブル配線板４，５には、ＴＣＰ（ｔａｐｅ  ｃａｒｒｉｅｒ  ｐａｃｋａｇｅ）やＣＯＦ（ｃｈｉｐ  ｏｎ  ｆｉｌｍ）などが用いられる。
【０００７】
組立にあたっては、フレキシブル配線板４に図示しない走査電極用駆動回路基板を接続し、また、フレキシブル配線板５に図示しない信号電極用駆動回路基板を接続したのち、一方の液晶パネル１と他方の液晶パネル１とを、それらの端子部３ａ，３ａが互いに反対方向の向きとなるように配置して、例えば接着材を介して貼り合わせる。
【０００８】
【発明が解決しようとする課題】
通常、信号電極側基板３の信号電極の本数は、走査電極側基板２の走査電極の本数よりも多く、例えば、画素数が４８０×１６０ドットで、ＬＳＩチップ４ａ，５ａの各信号出力チャンネルが１６０であるとすると、走査電極は１つのＬＳＩチップ４ａにより駆動されるが、信号電極は３つのＬＳＩチップ５ａにより駆動されることになる。
【０００９】
したがって、図３の２層積層パネルの場合、走査電極駆動用のＬＳＩチップ４ａが２個、信号電極駆動用のＬＳＩチップ５ａが６個で、合計８個のＬＳＩチップが必要となる。また、各液晶パネル１ごとに、上記走査電極用駆動回路基板と上記信号電極用駆動回路基板とを駆動する図示しない電源を含むコントローラを必要とする。
【００１０】
このため、２層積層パネルの場合、駆動部分を含めて液晶パネル１の２枚分のコストがかかることになり、３層積層パネルになると、３枚分のコストがかかることになる。そればかりでなく、各液晶パネル１の光学状態を同時に書き換えるときなどでは、それぞれのコントローラのタイミングを合わせなければならないため、そのタイミング調整回路なども必要となる。
【００１１】
したがって、本発明の課題は、メモリ性液晶を有する複数の液晶パネルを積層して、フルカラーもしくはマルチカラー表示を行う液晶表示装置において、表示電極駆動用のＬＳＩチップやコントローラの個数を削減してコストダウンを図ることにある。
【００１２】
【課題を解決するための手段】
上記課題を解決するため、本発明は、走査電極側基板と信号電極側基板との間にメモリ性液晶を有する液晶パネルを複数枚積層してなる液晶表示装置において、上記複数枚の液晶パネルのうち、最外側に配置される少なくとも一方の特定端部側液晶パネルを含めて上記液晶パネルの信号電極側基板は、その対向する２辺に端子部を備えており、上記各液晶パネルの信号電極側基板に形成されている信号電極同士を第１フレキシブル配線板を介して接続するとともに、上記特定端部側液晶パネルの信号電極側基板の片側端子部に、信号電極駆動用のＬＳＩチップが搭載された第２フレキシブル配線板を接続し、上記第１フレキシブル配線板を折り曲げて上記各液晶パネルを積層してなることを特徴としている。
【００１３】
この構成によれば、信号電極を駆動するＬＳＩチップが各液晶パネルに共用されるため、信号電極駆動用のＬＳＩチップの個数が液晶パネル１枚分の個数で足りることになり、また、これに伴ってコントローラの個数も減らせるため、大幅なコストダウンを図ることができる。
【００１４】
なお、信号電極側基板側の端子部について、２層積層パネルの場合には、いずれか一方の液晶パネルの信号電極側基板に、その対向する２辺に端子部を設ければよい。３層積層パネルの場合には、中央に配置される液晶パネルと、展開した状態でその左右両側（積層した状態で上下両側）に配置されるいずれか一方の液晶パネルのそれぞれ対向する２辺に端子部を設ければよい。なお、残された１枚の液晶パネルの信号電極側基板については、１つの端子部を備えていればよいが、他の液晶パネルと同じく、２つの端子部があってもよい。
【００１５】
【発明の実施の形態】
次に、図１および図２を参照して、本発明の実施形態について説明する。この実施形態は、２枚の液晶パネルを積層する場合のもので、図１は２枚の液晶パネルを平面的に並べた状態を示す平面図、図２は２枚の液晶パネルを積層した状態を示す側面図である。
【００１６】
この液晶表示装置は、２枚の液晶パネル１０，２０を備えている。各液晶パネル１０，２０ともに、走査電極側基板１１，２１と信号電極側基板１２，２２との間に、メモリ性液晶としてカイラルネマチック液晶を挟持している。なお、図１において、信号電極側基板１２，２２が紙面手前側に位置し、走査電極側基板１１，２１は紙面奥側に位置している。
【００１７】
走査電極側基板１１，２１には、それぞれ同数本の走査電極１１ａ〜１１ｎ，２１ａ〜２１ｎが形成されている。信号電極側基板１２，２２にも、それぞれ同数本の信号電極１２ａ〜１２ｍ，２２ａ〜２２ｍが形成されており、その電極本数は、ｍ＝ｎであってもよいし、ｍ≠ｎであってもよい。
【００１８】
図１において、右側に位置する液晶パネル１０の信号電極側基板１２は、左右の対向する２辺に端子部１２１，１２２を備えている。これに対して、左側に位置する液晶パネル２０の信号電極側基板２２は、液晶パネル１０と対向する側の辺のみに端子部２２１を備えている。
【００１９】
液晶パネル１０の走査電極側基板１１および液晶パネル２０の走査電極側基板２１は、ともに１つの端子部１１１，２１１を備えているが、その向きは逆方向とされている。すなわち、この例では、一方の走査電極側基板１１の端子部１１１は図１において上向きとされているのに対して、他方の走査電極側基板２１の端子部２１１は図１において下向きとされている。
【００２０】
信号電極側基板１２の一方の端子部１２１と信号電極側基板２２の端子部２２１との間には、フレキシブル配線板３１が配線されており、このフレキシブル配線板３１によって信号電極側基板１２の信号電極１２ａ〜１２ｍと、信号電極側基板２２の信号電極２２ａ〜２２ｍとが１：１の関係で相互に接続されている。
【００２１】
この例において、信号電極側基板１２の他方の端子部１２２には、それぞれ信号電極駆動用のＬＳＩチップ４１ａが搭載された３つのＴＣＰ４１の一端が接続されており、各ＴＣＰ４１の他端には信号電極用走査電極用駆動回路基板５１が接続されている。すなわち、この３つのＴＣＰ４１は、液晶パネル１０の信号電極側基板１２と液晶パネル２０の信号電極側基板２２とに対して共通に用いられている。
【００２２】
走査電極側基板１１の端子部１１１には、走査電極駆動用のＬＳＩチップ６１ａが搭載されたＴＣＰ６１を介して走査電極用駆動回路基板７１が接続され、また、走査電極側基板２１の端子部２１１には、走査電極駆動用のＬＳＩチップ６２ａが搭載されたＴＣＰ６２を介して走査電極用駆動回路基板７２が接続されている。この例において、ＴＣＰ６１，６２はそれぞれ１つである。なお、ＴＣＰに代えて例えばＣＯＦが用いられてもよい。
【００２３】
液晶パネル１０と液晶パネル２０は、フレキシブル配線板３１をほぼ１８０゜折り曲げることにより、図２に示すように積層され、図示しない接着材などにより固定される。この例では、走査電極側基板１１，２１同士が対向するように積層しているが、これとは逆に、信号電極側基板１２，２２同士が対向するように積層してもよい。
【００２４】
いずれにしても、信号電極駆動用ＬＳＩチップ４１ａを有するＴＣＰ４１が、液晶パネル１０の信号電極側基板１２と液晶パネル２０の信号電極側基板２２とに対して共用されているため、ＴＣＰ４１の数を図３の従来例と比べると半分に減らすことができる。また、液晶パネル１０と液晶パネル２０とで、コントローラも共用することができる。
【００２５】
一例として、液晶パネル１０と液晶パネル２０が、ともに信号電極本数４８０，走査電極本数１６０の４８０×１６０ドットで、上記各ＬＳＩチップ４１ａ，６１ａ，６２ａの信号出力チャンネル数が１６０であるとすると、各液晶パネル１０，２０の信号電極は、３つのＬＳＩチップ４１ａにより駆動される。
【００２６】
また、液晶パネル１０側の走査電極は１つのＬＳＩチップ６１ａにより、液晶パネル２０側の走査電極も１つのＬＳＩチップ６２ａにより、それぞれ駆動されることになるが、その走査順序は例えば一方の液晶パネル１０から他方の液晶パネル２０の順に行われる。すなわち、４８０×３２０ドットの液晶パネル相当の駆動が行なわれる。
【００２７】
なお、ネマチック液晶などの場合、走査電極のデューテイ数が増えると、それに伴って印加電圧を高める必要があるが、カイラルネマチック液晶の場合、走査電極のデューテイ数が増えても印加電圧を高くする必要がないため、上記のように駆動しても問題はない。
【００２８】
上記実施形態では、積層する液晶パネルを２枚としているが、フルカラー表示を行うため、３枚の液晶パネルを積層する場合には、上記液晶パネル１０と同じく信号電極側基板に２つの端子部を有する液晶パネルを、上記液晶パネル１０と上記液晶パネル２０との間に追加的に配置し、各液晶パネルの信号電極側基板同士をフレキシブル配線板にて接続すればよい。
【００２９】
また、駆動部側から見て、末端に位置する液晶パネル（上記実施形態では、図１の液晶パネル２０）の信号電極側基板については、端子部を１つだけ備えていればよいが、他の液晶パネルの信号電極側基板と同様に、２つの端子部を備えていてもよい（ただし、その一方の端子部は接続相手がいない）。
【００３０】
【発明の効果】
以上説明したように、本発明によれば、フルカラーもしくはマルチカラー表示を行うため、メモリ性液晶を有する複数の液晶パネルを積層してなる液晶表示装置において、上記複数枚の液晶パネルのうち、最外側に配置される少なくとも一方の特定端部側液晶パネルを含めて上記液晶パネルの信号電極側基板は、その対向する２辺に端子部を備えており、上記各液晶パネルの信号電極側基板に形成されている信号電極同士を第１フレキシブル配線板を介して接続するとともに、上記特定端部側液晶パネルの信号電極側基板の片側端子部に、信号電極駆動用のＬＳＩチップが搭載された第２フレキシブル配線板を接続し、上記第１フレキシブル配線板を折り曲げて上記各液晶パネルを積層するようにしたことにより、信号電極駆動用のＬＳＩチップの数およびコントローラの数を減らすことができ、この部品点数の削減によりコストダウンが図れる。
【図面の簡単な説明】
【図１】本発明の実施形態で用いられる２枚の液晶パネルを平面的に並べた状態を示す平面図。
【図２】上記各液晶パネルを積層した状態を示す側面図。
【図３】２枚の液晶パネルを含む従来の積層型液晶表示装置を示す分解斜視図。
【符号の説明】
１０，２０  液晶パネル
１１，２１  走査電極側基板
１２，２２  信号電極側基板
３１  フレキシブル配線板
４１，６１，６２  ＴＣＰ
５１  信号電極用駆動回路基板
７１，７２  走査電極用駆動回路基板
【図１】
2004233822.tif 000003
【図２】
2004233822.tif 000004
【図３】
2004233822.tif 000005